(57)【特許請求の範囲】
【請求項１】
基部と、
前記基部に一方の端部が接続され、前記基部から伸びる方向と垂直な方向である上方に凸部を有する第１掛竿と、を備える
ことを特徴とするマスクハンガー。
【請求項２】
基部と、
前記基部に一方の端部が接続され、上方に凸部を有する第１掛竿と、を備え、
前記第１掛竿は、前記一方の端部が前記基部に回動可能に軸支されている
ことを特徴とするマスクハンガー。
【請求項３】
基部と、
前記基部に一方の端部が接続され、上方に凸部を有する第１掛竿と、
前記基部に接続された棒状の第２掛竿と、を備え、
前記第１掛竿は、前記第２掛竿よりも上側に配置され、
前記第１掛竿および前記第２掛竿は、前記基部から同じ方向に伸びており、
前記第１掛竿および前記第２掛竿は、横方向に回動可能に前記基部に軸支されている
ことを特徴とするマスクハンガー。
【請求項４】
基部と、
前記基部に一方の端部が接続され、上方に凸部を有する第１掛竿と、
前記基部に接続された棒状の第２掛竿と、を備え、
前記第１掛竿は、前記第２掛竿よりも上側に配置され、
前記第１掛竿および前記第２掛竿は、前記基部から同じ方向に伸びており、
前記第１掛竿及び前記第２掛竿は、縦方向および横方向にそれぞれｎ本ずつ配置されている
ことを特徴とするマスクハンガー。
【請求項５】
基部と、
前記基部に一方の端部が接続され、上方に凸部を有する第１掛竿と、
前記基部に接続された棒状の第２掛竿と、を備え、
前記第１掛竿は、前記第２掛竿よりも上側に配置され、
前記第１掛竿および前記第２掛竿は、前記基部から同じ方向に伸びており、
前記基部は、前記掛竿が伸びる方向と反対側に取付部を有している
ことを特徴とするマスクハンガー。
【請求項６】
請求項１または２に記載のマスクハンガーであって、
前記基部に接続された棒状の第２掛竿を備え、
前記第１掛竿は、前記第２掛竿よりも上側に配置されている
ことを特徴とするマスクハンガー。
【請求項７】
請求項６に記載のマスクハンガーであって、
前記第１掛竿および前記第２掛竿は、前記基部から同じ方向に伸びている
ことを特徴とするマスクハンガー。
【請求項８】
請求項４〜７のいずれか一項に記載のマスクハンガーであって、
前記第１掛竿および前記第２掛竿は、横方向に回動可能に前記基部に軸支されている
ことを特徴とするマスクハンガー。
【請求項９】
請求項３〜８のいずれか一項に記載のマスクハンガーであって、
前記第２掛竿は、下側にフックを備える
ことを特徴とするマスクハンガー。
【請求項１０】
請求項３、５〜７のいずれか一項に記載のマスクハンガーであって、
前記第１掛竿および前記第２掛竿は、縦方向および横方向にそれぞれｎ本ずつ配置されている
ことを特徴とするマスクハンガー。
【請求項１１】
請求項１〜３、４、６、および７のいずれか一項に記載のマスクハンガーであって、
前記基部は、前記掛竿が伸びる方向と反対側に取付部を有している
ことを特徴とするマスクハンガー。
【発明の詳細な説明】
【技術分野】
【０００１】
本発明は、マスクハンガーに関する。
【背景技術】
【０００２】
洗ったマスクを干す手段として、物干し器の洗濯ばさみで留めたり、布巾等を掛ける掛け具に掛けたりする。
【先行技術文献】
【特許文献】
【０００３】
【特許文献１】特開２００９−２２５９６０号公報
【発明の概要】
【発明が解決しようとする課題】
【０００４】
特許文献１のタオル掛けは、略矩形型のマスクを掛けて干すにはよいが、立体型のマスクの場合、マスクの立体部分が伸びず皺になったり、乾きにくかったりする。また、タオル掛けはマスクを干すには大型で、洗面所等でマスクをかけておくには場所を取りすぎてしまう。
【０００５】
本発明は、立体型のマスクを含むマスクを簡易にかけることができるマスクハンガーを提供することを目的とする。
【課題を解決するための手段】
【０００６】
本発明は、上記課題の少なくとも１つを解決するものであるが、その例を挙げるならば、次の通りである。すなわち、本発明の一態様であるマスクハンガーは、基部と、前記基部に一方の端部が接続され、上方に凸部を有する第１掛竿と、を備えることを特徴とする。
【０００７】
前記基部に接続された棒状の第２掛竿を備え、前記第１掛竿は、前記第２掛竿よりも上側に配置されていてもよい。
【０００８】
前記第１掛竿および前記第２掛竿は、前記基部から同じ方向に伸びていてもよい。
【０００９】
前記第２掛竿は、下側にフックを備えていてもよい。
【００１０】
前記第１掛竿および前記第２掛竿は、横方向に回動可能に前記基部に軸支されていてもよい。
【００１１】
前記第１掛竿および前記第２掛竿は、縦方向および横方向にそれぞれｎ本ずつ配置されていてもよい。
【００１２】
前記基部は、前記掛竿が伸びる方向と反対側に取付部を有していてもよい。
【発明の効果】
【００１３】
本発明によれば、立体型のマスクを含むマスクを簡易にかけることができるマスクハンガーを提供することができる。
【図面の簡単な説明】
【００１４】
【図１】第１実施形態に係るマスクハンガーの概略構成例を示す図である。
【図２】第１実施形態に係るマスクハンガーの使用例を示す図である。
【図３】第１実施形態の変形例に係るマスクハンガーの概略構成例を示す図である。
【図４】第２実施形態に係るマスクハンガーの概略構成例を示す図である。
【発明を実施するための形態】
【００１５】
本発明の実施形態の例について、以下、図に基づいて説明する。
【００１６】
図１は、第１実施形態に係るマスクハンガー１の概略構成例を示している。図１（ａ）は、マスクハンガー１の側面図、図１（ｂ）は、マスクハンガー１の正面図を示している。本実施形態に係るマスクハンガー１は、立体型、略矩形型のいずれのマスクも型崩れなく干すことができるものである。
【００１７】
マスクハンガー１は、基部１０と、第１掛竿２０と、第２掛竿３０と、取付部４０と、を備えている。基部１０は、合成樹脂材からなり、略矩形形状で、一部に開口を有する側面視略コ字形状をしている。基部１０の開口部分には、接合部１１と、支軸１２と、が設けられている。接合部１１は支軸１２に取り付けられ、支軸１２により接合部１１が横方向に回動可能に軸支されている。
【００１８】
第１掛竿２０は、合成樹脂材、針金等からなり、前方に伸びる棒状をしており、上方に凸部を有する形状をしている。本実施形態では、上方に凸部を有する略半円形の曲線形状とすることができる。第１掛竿２０は、接合部１１に接続し、基部１０に対し横方向に回動可能となっている。第１掛竿２０は、第１端部２１と、第２端部２２を有し、第１端部２１は接合部１１に接続され、第２端部２２は後述する第２掛竿３０の第２端部３２に接続されている。第１掛竿２０は、立体型のマスクを掛けることができる長さを有している。第１掛竿２０は、上方に凸部を有する形状をしているため、立体型のマスクの中央部分が窪んでしまうことなくマスクの形に合わせて干すことができる。
【００１９】
第２掛竿３０は、合成樹脂材等からなり、前方に伸びる直線状の棒状をしている。第２掛竿３０は、接合部１１に接続し、基部１０に対し横方向に回動可能になっている。第２掛竿３０は、第１端部３１と、第２端部３２を有し、第１端部３１は接合部１１に接続し、水平方向に伸びている。第２端部３２の上面は、第１掛竿２０の第２端部２２に接続している。第２掛竿３０は、略矩形型のマスクを掛けることができる長さを有している。第２掛竿３０は、水平方向に伸びる形状をしているため、略矩形型のマスクを２つ折りにするようにかけて干すことができる。
【００２０】
第２掛竿３０は、下側にフック３３を備えている。フック３３は、物を引っ掛けることができればどのような形状をしていてもよく、例えば、Ｌ形フック、Ｊ形フックなどである。本実施形態では、フック３３は、Ｌ形フックであり、第２掛竿３０の第２端部３２および中央付近に配置されている。フック３３には、マスクの耳掛けゴム部分を掛けて、マスクを吊り下げて干すことができる。
【００２１】
また、フック３３の代わりに、第２掛竿３０の側面に、挟み込むタイプ（クリップ状）の係止片を備えていてもよい。例えば、第２掛竿３０の第２端部３２側の一側面に係止片を備えれば、マスクのゴム部分を掛けるだけでなく、第１掛竿２０または第２掛竿３０に掛けたマスクの一部を挟み込んで保持できるため、マスクの落下を防止することができる。
【００２２】
マスクハンガー１は、第１掛竿２０が上側、第２掛竿３０が下側に配置されるよう構成されている。第１掛竿２０、第２掛竿３０、及び接合部１１は、一体に形成されてもよく、別体に形成された後、それぞれを固着されてもよい。あるいは、接合部１１を同一の支軸１２に上下に２つ設け、それぞれの接合部１１に第１掛竿２０および第２掛竿３０を一体成形または別体成型後に固着してもよい。第１掛竿２０および第２掛竿３０の接合部１１が異なれば、第１掛竿２０および第２掛竿３０を異なる横方向に回動させて使用することができる。
【００２３】
取付部４０は、基部１０の開口部分と反対側に設けられる。取付部４０は、接着剤、粘着テープ等により基部１０固定されている。取付部４０は、例えば、面状のマグネット、粘着テープ、または吸盤等であり、ガラス、鏡、壁などに基部１０を固定できれば、どのようなものであってもよい。一例として、磁性体の面が重ねて裏側に設けられたガラスまたは鏡の表面に、マグネットの取付部４０を取り付けて、基部１０を固定することができる。
【００２４】
図２は、本実施形態に係るマスクハンガー１の使用例を示している。本実施形態では、マスクハンガー１は、図示しない洗面台の鏡に取り付けられている。図２（ａ）に示すように、立体型のマスクは、第１掛竿２０に掛けることができる。第１掛竿２０は、上方に凸部を有する曲線形状をしているため、立体型のマスクの突出した部分を第１掛竿２０の曲線に沿って掛けることができ、立体型マスクの中央付近が撓んでしまうことなく形よく干すことができる。
【００２５】
図２（ｂ）に示すように、略矩形型のマスクは、第２掛竿３０に掛けることができる。略矩形型のマスクを短辺方向に沿って２つ折りするようにして干すことができる。図２（ｃ）に示すようにマスクの耳掛け部分をフック３３に引っ掛けて干すこともできる。
【００２６】
以上、本実施形態に係るマスクハンガー１について説明した。本実施形態によれば、立体型のマスクを含むマスクを簡易にかけることができるマスクハンガーを提供することができる。マスクハンガー１は、第１掛竿２０、第２掛竿３０、及びフック３３を備えているため、異なる形状のマスクを３通りの掛け方で干すことができる。立体型のマスクは、水平に伸びる棒状の掛竿ではマスクの中央付近が撓んでしまうが、第１掛竿２０は上方に凸部を有する形状をしており、マスクの形に添わせることができるため、立体型のマスクを形よく掛けて干すことができる。
【００２７】
本実施形態では、第１掛竿２０は、上方に凸部を１つ有する曲線形状をしていたが、２つの曲線を有していてもよく、曲線でない凸部であってもよい。第１掛竿２０は、凸部を２つ有する場合は、マスク２枚分の長さを有していてもよい。
【００２８】
図３は、第１実施形態の変形例に係るマスクハンガー１ａの概略構成例を示す図である。本変形例では、第１掛竿２０ａは、第１実施形態より短く形成されている。以下、第１実施形態と同様の構成については、同様の符号を付してその説明を適宜省略し、異なる部分を中心に説明する。
【００２９】
第１掛竿２０ａは、第１端部２１ａが接合部１１に接続され、前方に伸びている。第１掛竿２０ａの第２端部２２ａは、第２掛竿３０の第２端部３２の近くまで伸びているが、第２端部３２に接続していない。したがって、第１掛竿２０ａの第２端部２２ａと第２掛竿３０の第２端部３２は接続せず、両者の間には隙間が形成される。
【００３０】
第１掛竿２０ａの第２端部２２ａおよび第２掛竿３０の第２端部３２を接続せず隙間を設けたことで、隙間からマスクを挿入して、第２掛竿３０に掛けることができる。第１掛竿２０および第２掛竿３０の間に差し込むようにしてマスクを第２掛竿３０に掛ける必要がなく、簡易にマスクを掛けることができる。
【００３１】
図４は、第２実施形態に係るマスクハンガー２の概略構成例を示す図である。図４（ａ）は、マスクハンガー２の側面図、図４（ｂ）は、マスクハンガー２の正面図、図４（ｃ）は、掛竿部５０を回動させた位置の例を平面視した模式図、を示している。本実施形態に係るマスクハンガー２は、複数の立体型のマスクを掛けることができるものである。
【００３２】
本実施形態では、第１掛竿２０および第２掛竿３０は、縦方向および横方向にそれぞれｎ本ずつ配置されている。なお、本実施形態では、１本の第１掛竿２０および１本の第２掛竿３０を１つの接合部１１に接続したものを掛竿部５０として説明する。
【００３３】
基部１０には、正面視において、掛竿部５０が、上下に２つ、左右に２つ配列される。ここで、掛竿部５０Ａは正面左上、掛竿部５０Ｂは正面左下、掛竿部５０Ｃは正面右上、掛竿部５０Ｄは正面右下に配置される。掛竿部５０Ａおよび掛竿部５０Ｂそれぞれの接合部１１は、同一の支軸１２の上下に軸支されており、掛竿部５０Ｃおよび掛竿部５０Ｄそれぞれの接合部１１は、同一の支軸１２の上下に軸支されている。
【００３４】
使用する際には、例えば、図４（ｃ）に示すように、掛竿部５０Ａを紙面の左側に回動させ、掛竿部５０Ｄを紙面の右側に回動させる。掛竿部５０Ｂと掛竿部５０Ｃは、基部１０中央から左右に互いに重ならない程度回動させる。上段の掛竿部５０Ａ、５０Ｃと、下段の掛竿部５０Ｂ、５０Ｄが、互い違いに配置され、上段の掛竿部５０にマスクを掛けた場合に、下段の掛竿部５０にマスクが引っ掛かることがなく同時に複数の立体型のマスク及び略矩形型のマスクを掛けることができる。
【００３５】
以上、本発明の実施形態および変形例について説明したが、上記した実施形態及び変形例は、特許請求の範囲に係る発明を限定するものではない。上記の記載に基づいて、当業者であれば、本発明の追加の効果や種々の変形例を容易に想到できるかもしれないが、本発明の態様は、上述した実施形態および変形例に限定されるものではない。特許請求の範囲に規定された内容およびその均等物から導き出される本願発明の概念的な思想と趣旨を逸脱しない範囲で種々の追加、変更および部分的削除が可能である。
【符号の説明】
【００３６】
１、１ａ、２：マスクハンガー、１０：基部、１１：接合部、１２：支軸、２０：第１掛竿、２１：第１端部、２２：第２端部、３０：第２掛竿、３１：第１端部、３２：第２端部、３３：フック、４０：取付部、５０：掛竿部
【要約】
【課題】立体型のマスクを含むマスクを簡易にかけることができるマスクハンガーを提供する。
【解決手段】マスクハンガーは、基部と、基部に一方の端部が接続され、上方に凸部を有する第１掛竿と、を備える。
【選択図】図１【図１】
0006934216.tif 000002
【図２】
0006934216.tif 000003
【図３】
0006934216.tif 000004
【図４】
0006934216.tif 000005